(57)【特許請求の範囲】
【請求項１】
画像を撮影し、画像データに処理を施した後これを記録するものであり、人体に装着される型のカメラにおいて、
動作内容がそれぞれ異なる複数の動作モードを有し、
装着者の動作状態及び生理的状態の内、一方又は両方を検出する検出手段と、
前記検出手段の検出結果に基づいて前記複数の動作モードから動作モードを選択する制御手段とを備えることを特徴とするカメラ。
【請求項２】
前記検出手段は、装着者の頭部方向，発声状態，視線方向，歩行状態，脈拍，血圧，体温，発汗状態，瞳の大きさの内少なくとも一つを検出することを特徴とする請求項１に記載のカメラ。
【請求項３】
前記動作モードとして消費電力が異なる複数のモードを有することを特徴とする請求項１又は２に記載のカメラ。
【請求項４】
前記動作モードとして画像データ記録時のデータ量が異なる複数のモードを有することを特徴とする請求項１乃至３いずれかに記載のカメラ。
【請求項５】
前記画像データ記録時のデータ量の差異は、圧縮率，色分解能，解像度，単位時間あたりに記録する画像の枚数である記録レートの内少なくとも一つの差異によることを特徴とする請求項４に記載のカメラ。
【請求項６】
撮影日時を記録する撮影日時記録手段を有することを特徴とする請求項１乃至５いずれかに記載のカメラ。
【請求項７】
現在の動作モードを装着者に報知する報知手段を有することを特徴とする請求項１乃至６いずれかに記載のカメラ。
【請求項８】
前記動作モードを手動で指定する手動動作モード指定手段を有することを特徴とする請求項１乃至７いずれかに記載のカメラ。
【請求項９】
前記制御手段は、前記検出手段の検出結果に基づく頭部方向の変化量に応じて選択する動作モードを切り替え、前記変化量が所定量以上の場合に選択する動作モードは、所定量より小さい場合に選択する動作モードより前記記録レートが大きいことを特徴とする請求項５に記載のカメラ。
【請求項１０】
前記制御手段は、前記検出手段の検出結果に基づく視線方向の変化量に応じて選択する動作モードを切り替え、変化量が所定量より小さい場合に選択する動作モードは、所定量以上の場合に選択する動作モードより前記解像度が高いことを特徴とする請求項５に記載のカメラ。
【請求項１１】
音声を取り込み、音声データに処理を施した後これを記録するものであり、前記検出手段により装着者の発声状態が検出される請求項２に記載のカメラにおいて、
前記制御手段は、前記検出手段の検出結果に基づいて、音声データ記録時のデータ量を決定することを特徴とするカメラ。
【発明の詳細な説明】
【０００１】
【発明の属する技術分野】
本発明は、人体に装着される動画像を撮影するカメラに関するものである。
【０００２】
【従来の技術】
頭部などの人体に装着され、画像及び音声の記録を行うカメラが特開平９−６５１８８号公報，特開平８−４６８４８号公報，特開昭６３−２８４５２９号公報，特開平３−２８９８９３号公報等に開示されている。このようなカメラによると、撮影動作を意図することなく画像及び音声の記録を行うことができる。
【０００３】
【発明が解決しようとする課題】
しかしながら、上記従来のカメラにおいては、電力及びメモリ容量の制限から長時間の撮影は困難であった。十分な電力供給がなされるように、大型の電池を搭載することも可能であるが、コストが高くなったり、装置が大型化する。また、大容量のメモリを使用することも可能であるが、コストが高くなるとともに、再生時に必要とするシーンの選択に時間がかかる。
【０００４】
長時間の撮影が可能であれば、カメラによる画像及び音声の記録を、誰に会ったか、何をしたか、どこへ行ったか、物をどこにしまったか等、装着者の記憶の補助とすることができる。また、装着者が何をどのように見たか、見た映像によってどのように行動をとったのか等、装着者の行動解析を行うためのデータとして用いることができる。
【０００５】
本発明は、上記問題点に鑑み、使用メモリ容量、消費電力の削減を図ることにより長時間の撮影を可能とし、かつ装着者にとって有用な情報を記録することができる人体に装着されるカメラを提供することを目的とする。
【０００６】
【課題を解決するための手段】
上記目的を達成するために、本発明は、画像を撮影し、画像データに処理を施した後これを記録するものであり、人体に装着される型のカメラにおいて、動作内容がそれぞれ異なる複数の動作モードを有し、装着者の動作状態及び生理的状態の内、一方又は両方を検出する検出手段と、前記検出手段の検出結果に基づいて前記複数の動作モードから動作モードを選択する制御手段とを備える構成とする。
【０００７】
上記構成においては、装着者の動作状態あるいは生理的状態に応じて動作モードが選択されることになる。装着者の動作状態によって観察対象は変化する。また、観察対象によって装着者の生理的状態の変化が引き起こされることはよくある。よって、装着者の動作状態あるいは生理的状態から観察対象に関する情報が得られる。人体に装着され、装着者が観察している観察対象を撮影する上記構成のカメラにおいては、取得される観察対象の情報に応じて動作内容を選択できる。カメラの動作としては、撮影，画像データ処理，画像データ記録等の動作があり、これらの内容によって、消費電力、使用するメモリ容量が異なる。
【０００８】
前記検出手段は、装着者の頭部方向，発声状態，視線方向，歩行状態，脈拍，血圧，体温，発汗状態，瞳の大きさの内少なくとも一つを検出するものであることが望ましい。例えば、頭部方向の変化量が大きいとき、あるいは歩行状態にあるときは、観察対象の変化量が大きいと推測される。脈拍の上昇量が大きいときは、装着者が緊張状態にあり、観察対象のデータは装着者の行動解析のデータとして有用度が高い可能性があるという情報が得られる。
【０００９】
前記動作モードとして消費電力が異なる複数のモードを有する構成としてもよい。この構成においては、例えば有用度が低いと推測される観察対象のデータは撮影レートの低い低消費電力モードで撮影することにより、有用度の高いデータには影響を与えることなく消費電力，メモリ容量の低減を図ることができる。
【００１０】
前記動作モードとして画像データ記録時のデータ量が異なる複数のモードを有する構成としてもよい。この構成においては、例えば有用度が低いと推測される観察対象のデータはデータ量を削減して記録することにより、有用度の高いデータに影響を与えることなく使用するメモリ容量の低減を図ることができる。
【００１１】
尚、前記画像データ記録時のデータ量の差異は、圧縮率，色分解能，解像度，単位時間あたりに記録する画像の枚数である記録レートの内少なくとも一つの差異による構成とすればよい。本明細書における圧縮率は、圧縮前のデータ量を圧縮後のデータ量で割った値とする。よって，圧縮率が高いほど、記録レートが小さいほど、色分解能，解像度が低いほどデータ量は少なくなる。
【００１２】
上記いずれの構成のカメラにおいても、撮影日時を記録する撮影日時記録手段を有する構成であることが望ましい。画像データとともに撮影日時を記録できるので、記憶の補助としてより有用なものとなる。
【００１３】
また、上記いずれの構成のカメラにおいても、現在の動作モードを装着者に報知する報知手段を有する構成であることが望ましく、さらには、前記動作モードを手動で指定する手動動作モード指定手段を有する構成であることが望ましい。この構成においては、装着者は現在の動作モードを認識できるとともに、手動で動作モードを指定することができる。
【００１４】
前記制御手段は、前記検出手段の検出結果に基づく頭部方向の変化量に応じて選択する動作モードを切り替えるものとしてもよい。この構成において、前記変化量が所定量以上の場合に選択する動作モードは、所定量より小さい場合に選択する動作モードより前記記録レートが大きいものとする。すなわち、観察対象の変化量が大きいと推測される場合は記録レートを大きくする。観察対象の変化量が大きい場合に、記録レートが小さいと、必要な情報の記録漏れが生じる可能性がある。
【００１５】
前記制御手段は、前記検出手段の検出結果に基づく視線方向の変化量に応じて選択する動作モードを切り替えるものとしてもよい。この構成においては、変化量が所定量より小さい場合に選択する動作モードは、所定量以上の場合に選択する動作モードより前記解像度が高いようにする。視線方向の変化量が小さい場合は、観察対象を凝視している可能性が高い。凝視している場合、装着者が詳細に観察対象を観察していると考えられるので、高い解像度で画像データを記録することで、より有用なデータとなる。
【００１６】
上記カメラは、さらに音声を取り込み、音声データに処理を施した後これを記録する構成であり、前記検出手段により装着者の発声状態が検出される構成であってもよい。この構成において、前記制御手段は、前記検出手段の検出結果に基づいて、音声データ記録時のデータ量を決定することとする。音声データ記録時のデータ量の差異は、例えば圧縮率の差異や、記録の有無によるものとすることができる。
【００１７】
【発明の実施の形態】
以下、本発明の実施形態の装着型カメラについて図面を参照しながら説明する。図１は、本実施形態の装着型カメラ１が人物に装着されている状態を示している。装着型カメラ１は、本体部２が装着者の頭部にヘッドセット３にて装着され固定される構成である。装着型カメラ１は、装着者の動作状態及び生理的状態を検出するためのデータを測定する複数の装置を備えている。図１では、耳に装着され脈拍及び体温を測定する脈拍・体温測定装置１３のみを図示し他は省略する。
【００１８】
図２は、装着型カメラ１の構成図である。コントローラ５は、装着型カメラ１の動作を制御する。ビデオカメラ回路６は、撮影レンズ２４を介して入射される被写体からの光を撮影し、画像データをコントローラ５に送出する。頭部位置測定装置４は、装着者の頭部の３次元的な位置を測定し、測定値をコントローラ５に送出する。コントローラ５では、この測定値に基づいて頭部方向を検出し、頭部方向の変化量を算出する。頭部位置測定装置４は、たとえば本出願人による特開平８−２８９２２６号公報に開示されている装置により実現できる。
【００１９】
マイクロフォン２２は、周辺の音を取り込むとともに、装着者の発声も取り込む。取り込んだデータは、コントローラ５に送出される。コントローラ５は、このデータを用いて装着者の発声の有無を検出する。
【００２０】
赤外ＬＥＤ照明装置２３は、装着者の視線方向の検出のために用いられ、ハーフミラー１０，１１を介して装着者の眼球１８に照射され、その反射光がハーフミラー１１，１０とレンズ９を介して撮影センサー８に入射される。ここでの画像データはコントローラ５に送出される。コントローラ５は、撮影センサー８に入射される反射光の位置に基づいて、視線方向を検出し、視線方向の変化量を算出する。
【００２１】
撮影センサー８は、赤外ＬＥＤ照明装置２３の非発光時には、装着者の眼球１８から光を撮影する。この画像データは、コントローラ５に送出される。コントローラ５は、この検出結果を用いて、装着者の眼球１８の瞳径を画像処理によって検出し、瞳径の変化量を算出する。撮影モード報知ＬＥＤ７は、赤，緑の２色を表示可能である。表示された色は、ハーフミラー１０，１１を介して装着者の眼球１８に与えられる。撮影モード報知ＬＥＤ７においては、後述する撮影モードに応じた色が表示される。この色により、装着者に現在の撮影モードを報知する。
【００２２】
コントローラ５は、ビデオカメラ回路６からの画像データ及びマイクロフォン２２からの音声データに所定の処理を施す。処理後のデータは、記録装置１２に記録される。記録装置１２は、ハードディスクで構成されている。
【００２３】
時計回路１９は、コントローラ５に接続されている。コントローラ５は、時計回路１９からの信号に基づいて、撮影された日時を画像データとともに記録装置１２に記録する。手動スイッチ２０は、装着者により操作されるものであり、操作情報はコントローラ５に送出される。装着者は、手動スイッチ２０の操作により、電源のオン，オフの指示及び動作モードに関する設定を行う。電池回路１７は、装着型カメラ１全体に電力を供給する。以上が、本体部２内に構成されている回路である。
【００２４】
次に、本体部２とは異なる部分に装着される各装置について説明する。脈拍・体温測定装置１３は、装着者の耳に装着され、装着者の脈拍及び体温を測定する。血圧測定装置１４は、装着者の上腕部に装着され、血圧を測定する。脈拍・体温測定装置１３、血圧測定装置１４での測定結果はコントローラ５に送出される。コントローラ５は、この測定結果に基づいて脈拍の変化量，体温の変化量，血圧の変化量を算出する。歩行状態測定装置１５は、装着者のベルトに装着され、振動を検出する。検出結果はコントローラ５に送出される。コントローラ５は、この検出結果に基づいて装着者が歩行中か否かを判定する。振動が検出されている状態は装着者が歩行中であると判定し、検出されていない状態は歩行中でないと判定する。
【００２５】
発汗状態測定装置１６は、装着者の脇の下に装着され、皮膚上の電気伝導度を測定し、この測定結果をコントローラ５に送出する。コントローラ５は、この測定結果に基づいて、発汗量を検出し、発汗量の変化量を算出する。
【００２６】
次に、コントローラ５の動作について説明する。以下、コントローラ５の動作が異なる第１〜第６の実施形態の装着型カメラについて説明する。各実施形態の装着型カメラの基本構成は、上述の通りである。
【００２７】
〈第１の実施形態〉
図３に、本実施形態の手動スイッチ２０の外観図を示す。手動スイッチ２０は１個の回転式スイッチ２０１より構成されている。回転式スイッチ２０１は、ＯＦＦ，ＡＵＴＯ，ＬＯＷ（Ｌ），ＨＩＧＨ（Ｈ）の４つのポジションを有する。ＯＦＦ位置では、装着型カメラ１の動作がオフとなる。ＡＵＴＯ位置では、後述の動作モードがコントローラ５により自動で設定される。Ｌ，Ｈ位置では、動作モードが手動で設定される。Ｌ位置では低消費電力モードに設定され、Ｈ位置では高消費電力モードに設定される。手動で設定される低消費電力モード、高消費電力モードの動作内容は、自動で設定される低消費電力モード、高消費電力モードの動作内容と同じである。各動作モードの動作内容については後述する。
【００２８】
図４に、本実施形態のコントローラ５の動作のフローチャートを示す。コントローラ５は処理がスタートすると、まず装着者の動作状態及び生理的状態を検出する（＃５）。具体的には、上述のように、コントローラ５に接続されている各回路から送出されるデータに基づいて装着者の状態の検出を行う。この検出結果に基づいて、装着者の状態に関する以下の判定を行う。
【００２９】
発声中であるか（＃１０）、脈拍の上昇量が所定量以上であるか（＃１５）、発汗量の増大量が所定量以上であるか（＃２０）、体温の変化量が所定量以上であるか（＃２５）、血圧の上昇量が所定量以上であるか（＃３０）、瞳径の変化量は所定量以上であるか（＃３５）、歩行中であるか（＃４０）、頭部方向の変化量が第１の所定量以上であるか（＃４５）、頭部方向の変化量が第２の所定量以下であるか（＃５０）、視線方向の変化量が所定量以下であるか（＃５５）、を判定する。
【００３０】
いずれかの判定においてＹＥＳである場合は、動作モードを高消費電力モードに設定する（＃６０）。いずれの判定においてもＮＯである場合は、動作モードを低消費電力モードに設定する（＃６５）。尚、上記判定において、第２の所定量は、第１の所定量より小さく、頭部方向の変化量が第２の所定量以下である場合は、頭部がほぼ安定しているとみなすことができる程度の値とする。
【００３１】
動作モードを設定後、ビデオカメラ回路６に撮影指示を出力する。撮影後、ビデオカメラ回路６から送出される画像データを取り込む（＃７０）。そして、このデータに処理を施す（＃７５）。ここでは、予め設定されている色分解能、解像度の画像データとなるように処理し、圧縮する。処理後の画像データを記録装置１２に記録する（＃８０）。
【００３２】
次に、最終設定動作モードが高消費電力モードか否かを判定する（＃８５）。尚、ここでいう最終設定モードとは、手動で動作モードが設定されている場合にはその動作モードのことをいい、回転式スイッチ２０１がＡＵＴＯ位置にある場合は、コントローラ５により設定されている動作モードのことをいう（以下においても、この定義に従う）。高消費電力モードである場合は、状態検出動作（＃５）に戻る。低消費電力モードである場合は、電池回路１７へコントローラ５以外の回路への電力供給を遮断する指示を出力する（＃９０）。この指示が実行されると、コントローラ５のクロック周波数を小さくする。コントローラ５は、通常１００ＭＨＺで動作しているが、１０ｋＨＺに落とす。そして、１０秒間待機する（＃１００）。待機後、再びクロック周波数を通常状態に戻し、電池回路１７へ各回路への電力供給を再開する指示を出力する（＃１１０）。そして、この指示が実行されると状態検出動作（＃５）へ戻る。
【００３３】
コントローラ５は、高消費電力モードにおいては動作モード報知ＬＥＤ７を赤色の表示とし、低消費電力モードにおいては表示しない。これによって、装着者に現在の動作モードを報知する。自動で設定されている動作モードとは異なる動作モードに設定したい場合、装着者は手動スイッチ２０を操作して手動で設定すればよい。
【００３４】
コントローラ５は、上記動作状態にあり、最終設定動作モードが高消費電力モードである場合は、マイクロフォン２２から送出される音声データを記録装置１２に記録する。最終設定動作モードが低消費電力モードである場合は、音声データの記録は行わない。
【００３５】
高消費電力モードにおいては、待機時間を有さない分だけ低消費電力モードより、単位時間当たりの撮影枚数（以下、撮影レートという）が多くなる。すなわち、時間密度の高い画像データが記録される。一方、低消費電力モードにおいては、コントローラ５以外の各回路への電力供給をストップし、クロック周波数を低下させた状態で待機時間を有するので、高消費電力モードより消費する電力が少ない。また、記録する画像データの時間密度が低いので、使用するメモリ容量も少ない。さらに音声データの記録を行わないので、使用するメモリ容量が少ない。
【００３６】
高消費電力モードに設定される場合、すなわち図４のフローチャートの＃１０〜＃５５のいずれかの判定において、ＹＥＳと判定される場合について説明する。生理的状態（脈拍，発汗状態，体温，血圧，瞳径）の変化量に関してＹＥＳと判定される場合は、装着者に心理的変化が生じている可能性が高い。生理的状態の変化は、心理的変化によって引き起こされやすいからである。ここでいう心理的変化とは、恐れ，怒り，緊張感，照れ，驚き，喜び等が生じることをいう。心理的変化は、見ているもの（観察対象）、聞いている音声（聴取対象）が原因となって生じる可能性は高い。
【００３７】
一方、動作状態（発声状態，頭部方向，視線方向，歩行状態）の判定に関してＹＥＳと判定される場合は、観察対象、聴取対象が大きく変化しているもしくは観察対象、聴取対象への装着者の関心度が高い可能性が高い。以上のように、＃１０〜＃５５のいずれかの判定において、ＹＥＳと判定される状況における観察対象、聴取対象は、装着者の記憶の補助あるいは行動解析のデータとして有用度が高い可能性が高い。以下、このような状況における画像データ及び音声データを有用度の高いデータといい、このような状況以外におけるデータを有用度の低いデータという。
【００３８】
本実施形態では、有用度の高い画像データを高消費電力モードにおいて高時間密度で記録しながら、有用度の低い画像データを低消費電力モードにおいて少ない消費電力、メモリ容量で記録することにより、全体として消費電力、使用メモリ容量の削減を図ることができる。音声データに関しても、有用度の高いデータを音質よく録音しながら、全体として使用するメモリ容量の削減を図ることができる。
【００３９】
尚、低消費電力モードにおいては、データ取り込み（＃７０）、データ処理（＃７５）、データ記録（＃８０）の処理を行わない非撮影状態としてもよい。この場合は、消費電力、使用するメモリ容量のさらなる削減を図ることができる。また、有用度の低いデータを記録しないことにより再生時の検索を容易にする。
【００４０】
以下、休日に車を運転して子供と動物園へ行ったＡさんの１日において、各判定（＃１０〜＃５５）で、ＹＥＳと判定される（され得る）事態の一例を述べる。子供との会話中は、発声中と判定される（＃１０）。運転中に車が急に横から飛び出してきた場合は、脈拍の上昇量が大きくなり得る（＃１５）。駐車場のスペースが狭く上手に駐車できない場合は、発汗量が増大し得る（＃２０）。食事中は体温が上昇し得る（＃２５）。楽しみにしていた動物が昼寝をしていて見れない場合は、血圧が上昇し得る（＃３０）。目の前に突然大きな動物が現れた場合は、瞳径の変化ありと判定され得る（＃５５）。いろいろな動物を見て歩きまわっているときは、歩行中と判定される（＃４０）。動きの激しい動物を観察しているときは、頭部方向の変化が大きいと判定される（＃４５）。動物園内の案内板を読んでいるときは、頭部方向が安定していると判定される（＃５０）。気に入った動物を凝視しているときは、視線方向が一定であると判定され得る（＃５５）。
【００４１】
上記のような場合は、例えば、後に車にへこみを見つけ、撮影レートの高い撮影画像より横から急に飛び出してきた車が原因であったこと及びその車の車種が判明され得る。撮影レートが高いため、動物園の案内板の画像が記録されており、この画像から動物園の休園日がわかる。また、撮影画像は、Ａさんの行動を解析するためのデータとしても有用である。Ａさんに心理的変化が生じたシーン，観察対象に大きな変化が生じたシーン，関心の高かったシーンは高い撮影レートで記録されているので、行動解析用のデータとして望ましいものである。
【００４２】
〈第２の実施形態〉
本実施形態の手動スイッチ２０の外観は、第１の実施形態と同様である。ただし、Ｌ，Ｈ位置で手動により設定される動作モードが異なり、Ｌ位置では低データ量処理モードに、Ｈ位置では高データ量処理モードに設定される。
【００４３】
図５に、本実施形態のコントローラ５の動作のフローチャートを示す。コントローラ５は処理がスタートすると、まず装着者の動作状態及び生理的状態を検出する（＃１１５）。この処理は、図４の＃５の処理と同じである。その後、＃１２０〜＃１６５の判定処理を行う。この判定処理は、図４の＃１０〜＃５５の処理と同じである。
【００４４】
いずれかの判定においてＹＥＳである場合は、動作モードを高データ量処理モードに設定する（＃１７０）。いずれの判定においてもＮＯである場合は、動作モードを低データ量処理モードに設定する（＃１７５）。
【００４５】
動作モードの設定後、ビデオカメラ回路６に撮影指示を出力する。撮影後、ビデオカメラ回路６から送出される画像データを取り込む（＃１８０）。そして、取り込んだデータに設定されているモードに応じた処理を施し（＃１８５）、処理後の画像データを記録装置１２に記録する（＃１９０）。その後、＃１１５へ戻る。高データ量処理モードは、低データ量処理モードより記録時のデータ量が多いモードである。コントローラ５は、動作モード報知ＬＥＤ７の表示を高データ量処理モードである場合は赤色、低データ量処理モードである場合には緑色として、現在の動作モード（最終設定動作モード）を装着者に報知する。
【００４６】
図６に、図５の＃１８５のデータ処理のフローチャートを示す。データ処理に入ったら、まず最終設定動作モードを判定する（＃２００）。高データ量処理モードに設定されている場合は、データを低圧縮する（＃２０５）。低データ量処理モードに設定されている場合は、データを高圧縮する（＃２１０）。いずれのモードにおいても、圧縮率以外の処理条件（例えば、画像データの色解像度、分解能、記録レート等）は予め設定されている条件に基づいて処理する。処理後のデータは、図５の＃１９０で記録される。
【００４７】
〈第３の実施形態〉
本実施形態は、第２の実施形態とは、コントローラ５のデータ処理動作（図５の＃１８５）が異なるだけである。図７に、データ処理のフローチャートを示す。
【００４８】
データ処理に入ったら、まず最終設定動作モードを判定する（＃２１５）。高データ量処理モードに設定されている場合は、画像データを１６７８万色カラーデータとなるように処理する（＃２２０）。低データ量処理モードに設定されている場合は、画像データを２５６色カラーデータとなるように処理する（＃２２５）。いずれのモードにおいても、色分解能以外の処理条件は予め設定されている条件に基づいて処理する。処理後のデータは、図５の＃１９０で記録される。
【００４９】
〈第４の実施形態〉
本実施形態は、第２の実施形態とは、コントローラ５のデータ処理動作（図５の＃１８５）が異なるだけである。図８に、データ処理のフローチャートを示す。
【００５０】
データ処理に入ったら、まず最終設定動作モードを判定する（＃２３０）。高データ量処理モードに設定されている場合は、画像データを６４０×４８０画素のデータとなるように処理する（＃２３５）。低データ量処理モードに設定されている場合は、画像データを３２０×２４０画素のデータとなるように処理する（＃２４０）。いずれのモードにおいても、解像度以外の処理条件は予め設定されている条件に基づいて処理する。処理後のデータは、図５の＃１９０で記録される。
【００５１】
上記第２〜第４の実施形態においては、有用度の高い画像データは高精度で記録される。一方、有用度の低い画像データに関しては精度を下げて記録することにより、使用するメモリ容量の低減が図られる。尚、音声データに関しては、高データ量処理モードにおいては低圧縮率で記録され、低データ量処理モードにおいては高圧縮率で記録される。よって、有用な音声データを音質良く録音しつつメモリ容量の低減が図られる。
【００５２】
〈第５の実施形態〉
本実施形態は、第２の実施形態とは、コントローラ５のデータ処理動作（図５の＃１８５）が異なるだけである。図９に、データ処理のフローチャートを示す。
【００５３】
データ処理に入ったら、まず最終設定動作モードを判定する（＃２４５）。高データ量処理モードに設定されている場合は、６０フレーム毎秒の画像データとなるように処理する（＃２５０）。低データ量処理モードに設定されている場合は、１フレーム毎秒の画像データとなるように処理する（＃２５５）。いずれのモードにおいても、記録レート以外の処理条件は予め設定されている条件に基づいて処理する。処理後のデータは、図５の＃１９０で記録される。
【００５４】
本実施形態においては、有用度の高い画像データは高時間密度で記録される。一方、有用度の低い画像データに関しては時間密度を下げて記録することにより、使用するメモリ容量の低減が図られる。音声データの記録方法に関しては、第２〜第５の実施形態と同様である。
【００５５】
〈第６の実施形態〉
図１０に、本実施形態の手動スイッチ２０の外観図を示す。手動スイッチ２０は、２個の回転式スイッチ２０２，２０３を有する。画質設定スイッチ２０２は、画像データ処理後の画質（以下、処理画質という）を設定するスイッチで、ＯＦＦ，ＡＵＴＯ，ＬＯＷ（Ｌ），ＭＩＤＤＬＥ（Ｍ），ＨＩＧＨ（Ｈ）の５つのポジションを有する。記録レート設定スイッチ２０３は、記録レートを設定するスイッチで、ＡＵＴＯと、１から１２０までの自然数に対応するポジションを有する。
【００５６】
画質設定スイッチ２０２のＡＵＴＯ位置では、処理画質（圧縮率，色分解能，解像度の値による）はコントローラ５により自動で設定される。Ｌ，Ｍ，Ｈ位置では処理画質は手動で設定される。Ｌ，Ｍ，Ｈはそれぞれ低画質，中画質，高画質に対応する。各画質に対応する圧縮率，色分解能，解像度の設定値は予め決められている。高画質ほど圧縮率は小さく、色分解能，解像度はよくなる。ＯＦＦ位置では、装着型カメラ１の動作をオフにする。
【００５７】
記録レート設定スイッチ２０３のＡＵＴＯ位置では、記録レートはコントローラ５により自動で設定される。ＡＵＴＯ以外の位置では、記録レートは対応する数値に設定される。図１０では、処理画質はＡＵＴＯに、記録レートは４０フレーム毎秒に設定されている。尚、画質設定スイッチ２０２は、回転部分が押し下げ可能に構成されており、この押し下げにより、他のスイッチの設定位置にかかわらず、１枚の高画質静止画像を記録する。すなわち、画質設定スイッチ２０２は撮影ボタンを兼用する。
【００５８】
図１１に、本実施形態のコントローラ５の動作のフローチャートを示す。コントローラ５は処理がスタートすると、まず撮影ボタンが押し下げられているか否かを判定する（＃３００）。押し下げられている場合は、画像データを取り込み（＃３０５）、高画質となるようにデータ処理を施して（＃３１０）記録する（＃３１５）する。この一連の動作により１枚の高画質静止画像が記録される。そして、＃３００に戻る。
【００５９】
撮影ボタンが押し下げられていない場合は、装着者の動作状態及び生理的状態を検出する（＃３２０）。この処理は、図４の＃５の処理と同じである。その後、＃３２５〜＃３５０の判定処理を行う。この判定処理は、図４の＃１０〜＃３５の処理と同じである。
【００６０】
いずれかの判定においてＹＥＳである場合には、記録レートを１０フレーム毎秒に設定し（＃３５５）、処理画質を高画質に設定する（＃３６０）。いずれの判定においてもＮＯである場合は、記録レートを１フレーム毎秒に設定し（＃３６５）、処理画質を低画質に設定する（＃３７０）。
【００６１】
次に、装着者が歩行中であるか（＃３７５）、頭部方向の変化量が第１の所定量以上であるか（＃３８０）を判定する。いずれかの判定においてＹＥＳである場合には、記録レートを６０フレーム毎秒に設定し直し（＃３８５）、処理画質を低画質に設定し直す（＃３９０）。そして、手動スイッチ検出処理（＃４１５）へ進む。いずれの判定においてもＮＯである場合には、頭部方向の変化量が第２の所定量以下であるか（＃３９５）、視線方向の変化量が所定量以下であるか（＃４００）を判定する。いずれの判定においてもＹＥＳである場合には、記録レートを１０フレーム毎秒（＃４０５）に、処理画質を高画質に設定し直す（＃４１５）。そして、手動スイッチ検出処理（＃４１５）へ進む。いずれかの判定においてＮＯである場合には、そのまま手動スイッチ検出処理（＃４１５）へ進む。
【００６２】
手動スイッチ検出処理（＃４１５）においては、手動スイッチ２０の２個のスイッチ２０２，２０３の設定位置を検出する。画質設定ボタン２０２がＯＦＦに設定されている場合は（＃４２０）、そのまま装着型カメラ１全体の動作をオフにする。画質設定スイッチ２０２，記録レート設定スイッチ２０３ともにＡＵＴＯに設定されている場合は、前段階の処理で設定されている記録レートと、処理画質を最終設定値とする。ＡＵＴＯに設定されていないスイッチがあると判定される場合は（＃４２５，＃４３５）、設定されているマニュアル値を最終設定値とする（＃４３０，＃４４０）。
【００６３】
その後、データを取り込み（＃４４５）、最終設定値に従ってデータ処理（＃４５０）を行う。そして、処理後のデータを記録装置１２に記録して（＃４５５）、＃３００へ戻る。コントローラ５は、処理画質の最終設定値に応じて動作モード報知ＬＥＤ７の赤色表示を行う。高画質の場合は常時表示されている状態とし、中画質の場合は点滅表示とし、低画質の場合は表示をしないことにより、装着者に処理画質を報知する。また、記録レートの最終設定値に応じて動作モード報知ＬＥＤ７の緑色表示を行う。高レートほど、表示の点滅回数が多くなるように表示して装着者に記録レートを報知する。
【００６４】
本実施形態においては、有用度の高い画像は基本的には高い記録レートで、また高画質で記録される。ただし、歩行中であったり頭部方向の変化量が大きい場合のように、観察対象の変化が大きいと判定される場合はさらに記録レートを上げ、高時間密度で画像を記録する。また、頭部方向と視線方向の変化量が小さい場合のように、観察者が観察対象を凝視している可能性が高い場合は、常に高画質で記録するようにする。このような制御により、有用度の高い画像をより有効に利用できる。また、有用度の低いデータに関しては、記録時のデータ量を削減することにより、使用するメモリ容量の低減が図られる。尚、音声データに関しては、画像データの圧縮率に対応する圧縮率で記録する。
【００６５】
【発明の効果】
本発明の装着型カメラによると、複数の動作モードを有し、記録する画像に応じて動作モードを選択するので、使用するメモリ容量あるいは消費電力を削減でき、低コスト化，小型化が図られる。したがって、再生時に高速で必要な情報を得ることができる。さらに、長時間の撮影が可能となる。
【００６６】
また、本発明によると、記録する画像に関する情報は、装着者の動作状態，生理的状態から得る構成とする。よって、観察者が観察している観察対象を記録する装着型カメラにおいて、適切な情報に基づいて動作モードを選択することになる。装着者にとって有用な情報は確実に記録するような動作モードを選択することにより、記録データを記憶の補助、行動解析用のデータとして有効に活用することができる。
【００６７】
動作モードとして消費電力が異なる複数のモードを有する構成においては、有用度が低いと推測されるデータは低消費電力モードで撮影することにより、消費電力の低減が図られる。
【００６８】
動作モードとして画像データ記録時のデータ量が異なる複数のモードを有する構成においては、有用度が高いと推測されるデータを高画質で記録しつつ、有用度が低いと推測されるデータを低画質で記録することにより、使用するメモリ容量の低減が図られる。
【００６９】
撮影日時を記録する撮影日時記録手段を備えた構成においては、撮影日時を記録することにより再生時の検索を容易にする。また、記憶の補助としてより有用なデータとなる。
【００７０】
現在の動作モードを報知する報知手段を備えた構成においては、装着者は撮影モードを確認できる。さらに手動動作モード指定手段を有する構成においては、装着者は自分の意思を撮影に反映できる。また、重要なシーンの撮影漏れがない。
【図面の簡単な説明】
【図１】本実施形態の装着型カメラが人物に装着されている状態を示す図。
【図２】本実施形態の装着型カメラの構成図。
【図３】第１の実施形態の手動スイッチの外観図。
【図４】第１の実施形態のコントローラの動作を示すフローチャート。
【図５】第２の実施形態のコントローラの動作を示すフローチャート。
【図６】第２の実施形態のコントローラのデータ処理動作を示すフローチャート。
【図７】第３の実施形態のコントローラのデータ処理動作を示すフローチャート。
【図８】第４の実施形態のコントローラのデータ処理動作を示すフローチャート。
【図９】第５の実施形態のコントローラのデータ処理動作を示すフローチャート。
【図１０】第６の実施形態の手動スイッチの外観図。
【図１１】第６の実施形態のコントローラの動作を示すフローチャート。
【符号の説明】
１    装着型カメラ
２    本体部
４    頭部方向測定装置
５    コントローラ
６    ビデオカメラ回路
７    撮影モード報知ＬＥＤ
８    撮影センサー
１２  記録装置
１３  脈拍・体温測定装置
１４  血圧測定装置
１５  歩行状態測定装置
１６  発汗状態測定装置
１７  電池回路
１９  時計回路
２０  手動スイッチ
２２  マイクロフォン
【図１】
0004174923.tif 000002
【図２】
0004174923.tif 000003
【図３】
0004174923.tif 000004
【図４】
0004174923.tif 000005
【図５】
0004174923.tif 000006
【図６】
0004174923.tif 000007
【図７】
0004174923.tif 000008
【図８】
0004174923.tif 000009
【図９】
0004174923.tif 000010
【図１０】
0004174923.tif 000011
【図１１】
0004174923.tif 000012